(57)【要約】【課題】柔軟性及び機械的強度が高い表示装置用モジュール及び表示装置の提供。【解決手段】ＴＣＰフィルムを用いてなる矩形の基板１の一面上に、ソース駆動回路部３、ゲート駆動回路部４と、及びＲＦ通信制御回路部５とを装着し、ＲＦ通信制御回路部５を配線パターン２，２を介してソース駆動回路部３及びゲート駆動回路部４に接続する。アンテナ６をＲＦ通信制御回路部５に接続し、基板１の一方の長辺にソース駆動出力端子部７及びゲート駆動出力端子部８、及び切り欠き部９，９を設ける。そして、ソース駆動回路部３、ゲート駆動回路部４と、及びＲＦ通信制御回路部５を第１の合成樹脂１０，１０…で覆い、基板１の表面を第２の合成樹脂１１で覆う。【選択図】        図１
2004163685.tif 000002
【特許請求の範囲】
【請求項１】
電気泳動表示シートを駆動するための駆動装置と、
前記電気泳動表示シートへの給電電力及び表示データを受信するアンテナと、
前記駆動装置を介して、前記アンテナにより受信した給電電力及び表示データの前記電気泳動表示シートへの伝送を制御する制御装置と、
駆動装置及び制御装置を接続するための配線と
を可撓性を有する基板に形成した表示装置用モジュールにおいて、
前記駆動装置及び制御装置は、第１の合成樹脂で覆われ、
前記基板の表面は、前記第１の合成樹脂とは異なる第２の合成樹脂で覆われている
ことを特徴とする表示装置用モジュール。
【請求項２】
前記基板は矩形をなし、
前記駆動装置及び制御装置は平面視矩形であり、該駆動装置及び制御装置の長辺が前記基板の短辺方向と平行になるように配置されている
ことを特徴とする請求項１に記載の表示装置用モジュール。
【請求項３】
前記基板は、一方の長辺に切り欠き部が設けられ、
前記基板の長辺方向に関する前記切り欠き部の位置は、前記駆動装置及び制御装置が配置されている前記基板のそれぞれの位置に対応する
ことを特徴とする請求項２に記載の表示装置用モジュール。
【請求項４】
前記基板は、一方の長辺に他の部分よりも柔軟性が高い領域が設けられ、
前記基板の長辺方向に関する前記領域の位置は、前記駆動装置及び制御装置が配置されている前記基板のそれぞれの位置に対応する
ことを特徴とする請求項２に記載の表示装置用モジュール。
【請求項５】
前記領域は、前記基板の材料よりも柔軟性が高い材料が用いられることを特徴とする請求項４に記載の表示装置用モジュール。
【請求項６】
前記領域は、前記基板の厚さよりも薄層化された材料が用いられるとことを特徴とする請求項４に記載の表示装置用モジュール。
【請求項７】
前記第２の合成樹脂の弾性率は、前記第１の合成樹脂の弾性率よりも高いことを特徴とする請求項１乃至６のいずれかに記載の表示装置用モジュール。
【請求項８】
前記第１の合成樹脂はエポキシ系合成樹脂又はアクリル系合成樹脂であり、前記第２の合成樹脂はシリコーン系合成樹脂又はゴム系合成樹脂であることを特徴とする請求項１乃至７のいずれかに記載の表示装置用モジュール。
【請求項９】
電気泳動表示シートと、
該電気泳動表示シートを駆動するための駆動装置と、
前記電気泳動表示シートへの給電電力及び表示データを受信するアンテナと、
前記駆動装置を介して、前記アンテナにより受信した給電電力及び表示データの前記電気泳動表示シートへの伝送を制御する制御装置と、
前記電気泳動表示シート、駆動装置及び制御装置を接続するための配線と
を可撓性を有する基板に形成した表示装置において、
前記駆動装置及び制御装置は、合成樹脂で覆われていることを特徴とする表示装置。
【請求項１０】
前記基板は矩形をなし、
前記駆動装置及び制御装置は平面視矩形であり、該駆動装置及び制御装置の長辺が前記基板の短辺方向と平行になるように配置されている
ことを特徴とする請求項９に記載の表示装置。
【請求項１１】
前記基板はポリエチレンテレフタレートを用いてなり、
前記合成樹脂はエポキシ系合成樹脂又はアクリル系合成樹脂である
ことを特徴とする請求項９又は１０に記載の表示装置。
【発明の詳細な説明】
【０００１】
【発明の属する技術分野】
本発明は電気泳動表示シート用の表示装置用モジュール、及び電気泳動表示シートを用いた表示装置に関する。
【０００２】
【従来の技術】
液晶表示装置のようなフラットディスプレイパネルを用いた表示装置には、表示パネルと、該表示パネルにおける表示を電気回路により制御する表示装置用モジュールとが接合された構成のものがある（例えば、特許文献１参照）。
【０００３】
図４は特許文献１に開示されている液晶表示パネルモジュールの平面図であり、図５は図４の液晶表示パネルモジュールを構成するＴＣＰの平面図である。図４及び図５において、４０はＴＣＰ（Ｔａｐｅ  Ｃａｒｒｉｅｒ  Ｐａｃｋａｇｅ）であり、ポリイミド等の可撓性を有するテープ基材の適宜の位置に、平面視矩形のＩＣチップ４１が搭載されたチップ搭載部４２と、液晶表示パネル４３と接続するための出力側リード部４４と、回路基板（図示せず）と接続するための入力側リード部４５とを備える。なお、回路基板には、ＩＣチップ４１の動作を制御するための信号処理回路が形成されている。出力側リード部４４及び入力側リード部４５は、チップ搭載部４２の両端にＩＣチップ４１の長辺に対向して設けられている。更に、チップ搭載部４２と出力側リード部４４との間に出力側フレキシブル部４６が設けられ、チップ搭載部４２と入力側リード部４５との間に入力側フレキシブル部４７が設けられている。出力側フレキシブル部４６及び入力側フレキシブル部４７は、ＩＣチップ４１の短辺方向において屈曲する。
【０００４】
ＩＣチップ４１の長辺方向はチップ搭載部４２、出力側リード部４４、入力側リード部４５、出力側フレキシブル部４６、及び入力側フレキシブル部４７の幅方向になり、チップ搭載部４２の幅寸法は、出力側リード部４４及び入力側リード部４５の幅寸法よりも大きく、出力側フレキシブル部４６の幅寸法は、チップ搭載部４２の幅寸法と等しく、入力側フレキシブル部４７の幅寸法は、入力側リード部４５の幅寸法と等しい。また、チップ搭載部４２の幅方向の両側は、配線パターン等の導体が形成されずに拡幅してある。
【０００５】
液晶表示パネルモジュールは、４つのＴＣＰ４０をそれぞれチップ搭載部４２の拡幅部を重ね合わせて、隣り合うＴＣＰ４０には隙間が生じないようにして配置され、４つのＴＣＰ４０の出力側リード部４４が液晶表示パネル４３の下基板４８の上面端部（上基板４９側）に接続され、４つのＴＣＰ４０の入力側リード部４５が前記回路基板に接続されてなる。
【０００６】
このような液晶表示パネルにはガラス基板が使用されるため、液晶表示装置は柔軟性に乏しく、機械的強度が弱いという欠点を有する。また、液晶表示装置を携帯用機器に用いる場合、エネルギー密度が高いバッテリを内蔵する必要があり、更に重量化し、機器全体の規模が増大することになる。また、充電／放電の繰り返しによりバッテリが消耗した場合には、バッテリを交換する等の作業が必要であり、手間と費用とがかかることになる。
【０００７】
一方、近年では紙媒体に匹敵する柔軟性及び携帯性を有し、しかも表示情報の書き換えが容易に行える表示装置として電気泳動表示シートを用いたものが注目されている。電気泳動表示シートは、液晶表示装置に比べて極めて薄く、低コストで製造が可能であり、また、ガラス基板上だけでなく、紙の様に柔軟な基板上にも形成され得るため、薄く、軽いといった携帯性を有するだけでなく、操作性及び耐久性等、機能的にも優れた表示装置として期待されている。
【０００８】
電気泳動表示シートは文書又は画像等の表示データを一旦表示した場合、その後、電力を供給しなくとも比較的長時間その表示内容を保持することが可能であるため、リフレッシュ動作を必要としないという特徴を有する。この特徴により、電気泳動表示シートは、表示データ書込用の装置により表示データを表示させた後、表示データ書込用の装置から取り外して持ち運ぶことが可能であるため、携帯型表示装置としての応用に極めて適している。
【０００９】
このような電気泳動表示シートの表示システムの応用例として、本件出願人は特願２００２−０１９１４６「表示装置および表示システム」（以下、先願という）を出願している。先願に提案されている表示システムの概略を図６に示す。先願の表示システムは、表示データを作成するＰＣ（Ｐｅｒｓｏｎａｌ  Ｃｏｍｐｕｔｅｒ）等の上位装置５１と、表示データを送信する表示データ送信装置５２と、表示データ送信装置５２から受信した表示データに基づいて文字又は画像等を表示する表示装置５３とを備える。
【００１０】
先願の表示システムの特徴は、表示装置５３の表示部に電気泳動表示シート５４を使用している点と、表示データ送信装置５２から表示装置５３への給電及び表示データの送信を、電磁誘導により非接触で行っている点の２点である。
【００１１】
表示装置５３は、表示データを表示する電気泳動表示シート５４と、電気泳動表示シート５４の表示動作を制御する回路群を有するモジュール部５５とを備え、電気泳動表示シート５４及びモジュール部５５は、一体に形成されている。モジュール部５５は、電気泳動表示シート５４の表示のための回路群として通信制御回路５６及び駆動回路５８〜６０が設けられ、通信制御回路５６には受信側アンテナコイル５７が接続されている。
【００１２】
上位装置５１は、通信経路６１を介して表示データ送信装置５２に接続されている。また、上位装置５１は、電気泳動表示シート５４に表示する表示データを作成し、作成した表示データを通信経路６１を介して表示データ送信装置５２へ出力する。
表示データ送信装置５２は、送信装置６２と、送信側アンテナコイル６３とを備え、上位装置５１が出力した表示データを送信装置６２にてＡＳＫ（Ａｍｐｌｉｔｕｄｅ  Ｓｈｉｆｔ  Ｋｅｙｉｎｇ）変調信号に変換し、該ＡＳＫ変調信号を送信側アンテナコイル６３にてモジュール部５５へ送信する。
【００１３】
なお、先願で提案されている電気泳動表示シートを用いた表示装置の具体的な応用例としては、非接触で表示内容を変更する電子メニューの利用について記載されているが、電子メニュー以外の利用方法も可能である。特に近年では、ネットワークを介する電子財布システム等に利用される非接触ＩＣカードシステムにおいて、先願の表示装置は、非接触リーダライタとの間で通信を直接行わせることにより、サーバ側の決済履歴情報を表示させる極めて携帯性の高い表示装置として、非接触ＩＣカードと併用することが可能である。
【００１４】
このような電子財布システムにＩＣカードと表示装置とを併用する場合、これらＩＣカード及び表示装置はそれぞれ、種々の使用環境に耐え得るために次のような機械的強度を有していなければならない。
すなわち、ＩＣカードに求められる機械的強度は、ＩＣカードの長辺方向及び短辺方向における曲げ特性と、ねじり特性とがＩＳＯ７８１６に規定されており、これらの規定条件を満たさなければならない。また、表示装置に求められる機械的強度も、前述のＩＣカードと同程度の機械的強度が要求される。
【００１５】
【特許文献１】
特開２００１−３２６２４４号公報（第５−６頁、第１−３図）
【００１６】
【発明が解決しようとする課題】
特許文献１に開示されている液晶表示パネルモジュールは、液晶表示装置に搭載することを想定しており、表示部そのものの柔軟性は考慮されていないため、そもそも出力側フレキシブル部４６及び入力側フレキシブル部４７は、ＩＣチップ４１の短辺方向において屈曲する、つまり一次元的にしか屈曲しない。したがって、特許文献１に開示されている液晶表示パネルモジュールを紙の様な柔軟性を有する電気泳動シートに適用することはできないという問題がある。
【００１７】
一方、先願で提案されている電気泳動表示シートを用いた表示装置は、電子財布システムのような種々の使用環境で用いられることは想定されていないため、前述の機械的強度を有していない、つまり表示装置が屈曲した場合に、通信制御回路５６及び駆動回路５８〜６０が破壊する虞があるという問題がある。また、通信制御回路５６及び駆動回路５８〜６０は、外部からの機械的衝撃から保護する手段を有していないという問題がある。
【００１８】
本発明は斯かる問題に鑑みてなされたものであり、その目的とするところは、可撓性を有する基板に形成された駆動装置及び制御装置を第１の合成樹脂で覆い、基板を第１の合成樹脂とは異なる第２の合成樹脂で覆うことにより、駆動装置、制御装置及び基板を外部からの機械的衝撃から保護することができるだけでなく、電気泳動表示シートに用いた場合には、電気泳動表示シートが有する二次元的な可撓性を損なうことのない表示装置用モジュールを提供することにある。
【００１９】
また、本発明の他の目的は、基板を矩形とし、駆動装置及び制御装置を平面視矩形とし、駆動装置及び制御装置の長辺を基板の短辺方向と平行になるように配置することにより、基板の長辺方向における屈曲度を高め、基板が長辺方向において屈曲した場合に駆動装置及び制御装置が破壊するのを防止し、機械的強度が高い表示装置用モジュールを提供することにある。
【００２０】
また、本発明の他の目的は、駆動装置及び制御装置が配置されているそれぞれの位置に対応させて基板の一方の長辺に切り欠き部を設けることにより、基板が屈曲した場合に駆動装置及び制御装置が破壊するのを防止することができる表示装置用モジュールを提供することにある。
【００２１】
また、本発明の他の目的は、駆動装置及び制御装置が配置されているそれぞれの位置に対応させて基板の一方の長辺に、他の部分よりも柔軟性が高い領域を設けることにより、基板が屈曲した場合に駆動装置及び制御装置が破壊するのを防止することができる表示装置用モジュールを提供することにある。
【００２２】
また、本発明の他の目的は、駆動装置及び制御装置が配置されているそれぞれの位置に対応させて基板の一方の長辺に、基板の材料よりも柔軟性が高い材料を用いることにより、基板が屈曲した場合に駆動装置及び制御装置が破壊するのを防止することができる表示装置用モジュールを提供することにある。
【００２３】
また、本発明の他の目的は、駆動装置及び制御装置が配置されているそれぞれの位置に対応させて基板の一方の長辺に、基板の厚さよりも薄層化された材料を用いることにより、基板が屈曲した場合に駆動装置及び制御装置が破壊するのを防止することができる表示装置用モジュールを提供することにある。
【００２４】
また、本発明の他の目的は、第２の合成樹脂の弾性率を、第１の合成樹脂の弾性率よりも高くすることにより、基板が屈曲した場合に駆動装置及び制御装置が破壊するのを防止することができる表示装置用モジュールを提供することにある。
【００２５】
また、本発明の他の目的は、第１の合成樹脂としてエポキシ系合成樹脂又はアクリル系合成樹脂を用い、第２の合成樹脂としてシリコーン系合成樹脂又はゴム系合成樹脂を用いることにより、基板が屈曲した場合に駆動装置及び制御装置が破壊するのを防止することができる表示装置用モジュールを提供することにある。
【００２６】
また、本発明の他の目的は、電気泳動表示シートが形成された可撓性を有する基板に、駆動装置及び制御装置を形成し、該駆動装置及び制御装置を合成樹脂で覆うことにより、柔軟で、駆動装置及び制御装置を外部からの機械的衝撃から保護することができる表示装置を提供することにある。
【００２７】
また、本発明の他の目的は、基板を矩形とし、駆動装置及び制御装置を平面視矩形とし、駆動装置及び制御装置の長辺を基板の短辺方向と平行になるように配置することにより、基板の長辺方向における屈曲度を高め、基板が長辺方向において屈曲した場合に駆動装置及び制御装置が破壊するのを防止し、機械的強度が高い表示装置を提供することにある。
【００２８】
更に、本発明の他の目的は、基板にポリエチレンテレフタレートを用い、合成樹脂にエポキシ系合成樹脂又はアクリル系合成樹脂を用いることにより、非常に柔軟で機械的強度が高く、著しく携帯性に優れた表示装置を提供することにある。
【００２９】
【課題を解決するための手段】
本発明に係る表示装置用モジュールは、電気泳動表示シートを駆動するための駆動装置と、前記電気泳動表示シートへの給電電力及び表示データを受信するアンテナと、前記駆動装置を介して、前記アンテナにより受信した給電電力及び表示データの前記電気泳動表示シートへの伝送を制御する制御装置と、駆動装置及び制御装置を接続するための配線とを可撓性を有する基板に形成した表示装置用モジュールにおいて、前記駆動装置及び制御装置は、第１の合成樹脂で覆われ、前記基板の表面は、前記第１の合成樹脂とは異なる第２の合成樹脂で覆われていることを特徴とする。
【００３０】
本発明によれば、可撓性を有する基板に形成された駆動装置及び制御装置を第１の合成樹脂で覆い、基板を第１の合成樹脂とは異なる第２の合成樹脂で覆っていることにより、駆動装置、制御装置及び基板を外部からの機械的衝撃から保護することができるだけでなく、電気泳動表示シートに用いた場合には、電気泳動表示シートが有する二次元的な可撓性を損なうことのない表示装置用モジュールを実現することができる。
【００３１】
本発明に係る表示装置用モジュールにおいては、前記基板は矩形をなし、前記駆動装置及び制御装置は平面視矩形であり、該駆動装置及び制御装置の長辺が前記基板の短辺方向と平行になるように配置されていることを特徴とする。
【００３２】
本発明によれば、基板は矩形であることから、短辺方向よりも長辺方向に屈曲しやすくなる。しかし、駆動装置及び制御装置は平面視矩形であり、駆動装置及び制御装置の長辺を基板の短辺方向と平行になるように配置する。したがって、基板が長辺方向に屈曲したときに生じる応力の方向は、駆動装置及び制御装置と基板との接触面の短辺方向になるため、駆動装置及び制御装置それぞれに加わる前記応力を最小限にし、駆動装置及び制御装置の破壊を防止することができる。これにより、表示装置用モジュールは、基板の長辺方向における屈曲度を高めることができ、基板が長辺方向において屈曲した場合に駆動装置及び制御装置が破壊するのを防止でき、機械的強度が高くなる。
【００３３】
本発明に係る表示装置用モジュールにおいては、前記基板は、一方の長辺に切り欠き部が設けられ、前記基板の長辺方向に関する前記切り欠き部の位置は、前記駆動装置及び制御装置が配置されている前記基板のそれぞれの位置に対応することを特徴とする。
【００３４】
本発明によれば、駆動装置及び制御装置が配置されているそれぞれの位置に対応させて基板の一方の長辺に切り欠き部を設けているため、基板が屈曲したときに生じる応力が、基板を介して駆動装置及び制御装置へ伝達するのを緩和する。これにより、表示装置用モジュールは、基板が屈曲した場合に駆動装置及び制御装置が破壊するのを防止することができる。
【００３５】
本発明に係る表示装置用モジュールにおいては、前記基板は、一方の長辺に他の部分よりも柔軟性が高い領域が設けられ、前記基板の長辺方向に関する前記領域の位置は、前記駆動装置及び制御装置が配置されている前記基板のそれぞれの位置に対応することを特徴とする。
【００３６】
本発明によれば、駆動装置及び制御装置が配置されているそれぞれの位置に対応させて基板の一方の長辺に柔軟性が高い領域を設けるため、基板が屈曲したときに生じる応力が、基板を介して駆動装置及び制御装置へ伝達するのを緩和する。これにより、表示装置用モジュールは、基板が屈曲した場合に駆動装置及び制御装置が破壊するのを防止することができる。
【００３７】
本発明に係る表示装置用モジュールにおいては、前記領域は、前記基板の材料よりも柔軟性が高い材料が用いられることを特徴とする。
本発明によれば、駆動装置及び制御装置が配置されているそれぞれの位置に対応させて基板の一方の長辺に、基板の材料よりも柔軟性が高い材料を用いるため、基板が屈曲したときに生じる応力が、基板を介して駆動装置及び制御装置へ伝達するのを緩和する。これにより、表示装置用モジュールは、基板が屈曲した場合に駆動装置及び制御装置が破壊するのを防止することができる。
【００３８】
本発明に係る表示装置用モジュールにおいては、前記領域は、前記基板の厚さよりも薄層化された材料が用いられることを特徴とする。
本発明によれば、駆動装置及び制御装置が配置されているそれぞれの位置に対応させて基板の一方の長辺に、基板の厚さよりも薄層化された材料を用いる。このとき、薄層化された材料は基板と同じ材料であっても、基板の厚さよりも薄いために基板よりも柔軟性が高くなり、基板が屈曲したときに生じる応力が、基板を介して駆動装置及び制御装置へ伝達するのを緩和する。これにより、表示装置用モジュールは、基板が屈曲した場合に駆動装置及び制御装置が破壊するのを防止することができる。
【００３９】
本発明に係る表示装置用モジュールにおいては、前記第２の合成樹脂の弾性率は、前記第１の合成樹脂の弾性率よりも高いことを特徴とする。
本発明によれば、基板が屈曲した場合、第１の合成樹脂よりも第２の合成樹脂の方が先に応力を受けるが、第２の合成樹脂の弾性率は、第１の合成樹脂の弾性率よりも高いため、基板の屈曲に伴って生じる応力が、基板を介して駆動装置及び制御装置自体又はその周辺に加わるのを緩和する。これにより、表示装置用モジュールは、基板が屈曲した場合に駆動装置及び制御装置が破壊するのを防止することができる。
【００４０】
本発明に係る表示装置用モジュールにおいては、前記第１の合成樹脂はエポキシ系合成樹脂又はアクリル系合成樹脂であり、前記第２の合成樹脂はシリコーン系合成樹脂又はゴム系合成樹脂であることを特徴とする。
【００４１】
本発明によれば、第１の合成樹脂よりも第２の合成樹脂の方が先に応力を受けるが、第１の合成樹脂としてエポキシ系合成樹脂又はアクリル系合成樹脂を用い、第２の合成樹脂としてシリコーン系合成樹脂又はゴム系合成樹脂を用いることにより、第２の合成樹脂の弾性率は、第１の合成樹脂の弾性率よりも高くなる。これにより、表示装置用モジュールは、基板が屈曲した場合に駆動装置及び制御装置が破壊するのを防止することができる。
【００４２】
本発明に係る表示装置は、電気泳動表示シートと、該電気泳動表示シートを駆動するための駆動装置と、前記電気泳動表示シートへの給電電力及び表示データを受信するアンテナと、前記駆動装置を介して、前記アンテナにより受信した給電電力及び表示データの前記電気泳動表示シートへの伝送を制御する制御装置と、前記電気泳動表示シート、駆動装置及び制御装置を接続するための配線とを可撓性を有する基板に形成した表示装置において、前記駆動装置及び制御装置は、合成樹脂で覆われていることを特徴とする。
【００４３】
本発明によれば、基板自体が可撓性を有しているため、表示装置は柔軟性を有する。また、基板に形成した駆動装置及び制御装置を合成樹脂で覆う。これにより、表示装置は駆動装置及び制御装置を外部からの機械的衝撃から保護することができる。
【００４４】
本発明に係る表示装置においては、前記基板は矩形をなし、前記駆動装置及び制御装置は平面視矩形であり、該駆動装置及び制御装置の長辺が前記基板の短辺方向と平行になるように配置されていることを特徴とする。
【００４５】
本発明によれば、基板は矩形であることから、短辺方向よりも長辺方向に屈曲しやすくなる。しかし、駆動装置及び制御装置は平面視矩形であり、駆動装置及び制御装置の長辺を基板の短辺方向と平行になるように配置する。したがって、基板が長辺方向に屈曲したときに生じる応力の方向は、駆動装置及び制御装置と基板との接触面の短辺方向になるため、駆動装置及び制御装置それぞれに加わる前記応力を最小限にし、駆動装置及び制御装置の破壊を防止することができる。これにより、表示装置は、基板の長辺方向における屈曲度を高めることができ、基板が長辺方向において屈曲した場合に駆動装置及び制御装置が破壊するのを防止でき、機械的強度が高くなる。
【００４６】
本発明に係る表示装置においては、前記基板はポリエチレンテレフタレートを用いてなり、前記合成樹脂はエポキシ系合成樹脂又はアクリル系合成樹脂であることを特徴とする。
【００４７】
本発明によれば、基板に柔軟性の高いポリエチレンテレフタレートを用い、合成樹脂として弾性率の高いエポキシ系合成樹脂又はアクリル系合成樹脂を用いる。これにより、表示装置は非常に柔軟で機械的強度が高く、著しく携帯性に優れたものとなる。
【００４８】
【発明の実施の形態】
以下に、本発明をその実施の形態を示す図面に基づいて詳細に説明する。
（実施の形態１）
図１は本発明の実施の形態１に係る表示装置用モジュールの構成図であり、（ａ）は平面図を示し、（ｂ）は（ａ）のＢ−Ｂ線における断面図を示す（ただし、断面を示す斜線は、わかりやすくするために省略する）。
【００４９】
図において、１はＴＣＰフィルムを用いてなる矩形の基板である。ＴＣＰフィルムとしては、一般にポリイミドが用いられ、その他としてはＰＥＴ（ポリエチレンテレフタレート）を用いてもよい。基板１の一面上には、例えば銅箔を用いて厚さ１０〜３５μｍ程度に配線パターン２，２…が形成されている。基板１には、電気泳動表示シート（図示せず）の表示信号を駆動するための駆動装置であるソース駆動回路部３及びゲート駆動回路部４と、制御装置であるＲＦ（Ｒａｄｉｏ  Ｆｒｅｑｕｅｎｃｙ）通信制御回路部５とが装着され、ＲＦ通信制御回路部５は配線パターン２，２を介してソース駆動回路部３及びゲート駆動回路部４に接続されている、配線パターン２，２…にはデータ線、各種制御線、及び電源線が含まれる。
【００５０】
ソース駆動回路部３、ゲート駆動回路部４、及びＲＦ通信制御回路部５はそれぞれ、平面視矩形のＩＣチップであり、これらの長辺が基板１の短辺方向と平行になるように配置されている。ＲＦ通信制御回路部５は、アンテナ接続用の端子を２つ有しており、該端子に１ターンのループアンテナ（以下、アンテナという）６が接続されている。
【００５１】
基板１の一方の長辺には、電気泳動表示シート（図示せず）に接続するためのソース駆動出力端子部７及びゲート駆動出力端子部８が設けられている。ソース駆動出力端子部７及びゲート駆動出力端子部８は、配線パターン２，２を介してソース駆動回部３及びゲート駆動回路部４にそれぞれ接続されている。ソース駆動出力端子部７及びゲート駆動出力端子部８には、電気泳動表示シートへ表示データを伝送するための信号線が適宜のピッチで形成されている。
【００５２】
ソース駆動出力端子部７及びゲート駆動出力端子部８が設けられている基板１の一方の長辺には、切り欠き部９，９が設けられている。基板１の長辺方向における切り欠き部９，９の位置は、ソース駆動回路部３、ゲート駆動回路部４及びＲＦ通信制御回路部５が配置されている位置に対応している。
【００５３】
ソース駆動回路部３、ゲート駆動回路部４及びＲＦ通信制御回路部５はそれぞれ、第１の合成樹脂１０，１０…で覆われている。一方、基板１は、第１の合成樹脂１０，１０…で覆われたソース駆動回路部３、ゲート駆動回路部４及びＲＦ通信制御回路部５の部位と、切り欠き部９，９が設けられている基板１の長辺部分の領域とを除き、第２の合成樹脂１１で覆われている。したがって、配線パターン２，２…及びアンテナ６も第２の合成樹脂１１で覆われていることになる。第１の合成樹脂１０，１０…としては、例えばエポキシ系合成樹脂又はアクリル系合成樹脂が用いられ、第２の合成樹脂１１としては、例えばシリコーン系合成樹脂又はゴム系合成樹脂が用いられる。
【００５４】
なお、ソース駆動回路部３及びＲＦ通信制御回路部５の位置に対応する切り欠き部９が１つであるのは、ソース駆動回路部３及びＲＦ通信制御回路部５が比較的近接して配置されているためである。
【００５５】
以上の如き構成の表示装置用モジュールと電気泳動表示シートとの接続は、電気泳動表示シート側に異方性導電膜を配しておき、異方性導電膜と表示装置用モジュールのソース駆動出力端子部７及びゲート駆動出力端子部８とを圧着することにより行う。なお、電気泳動表示シートと図１の表示装置用モジュールとの接続には、この圧着によることの他、はんだ又は導電性接着剤による接続を行ってもよい。
【００５６】
続いて、図１の表示装置用モジュールを電気泳動表示シートに接続して使用する場合の動作を簡単に説明する。アンテナ６は、図示しない通信装置から電気泳動表示シートへの給電電力及び表示データを電磁誘導により非接触で受信する。ＲＦ通信制御回路部５は、ソース駆動回路部３及びゲート駆動回路部４を介して、アンテナ６が受信した給電電力及び表示データの電気泳動表示シートへの伝送を制御する。
【００５７】
このような表示装置用モジュールが接続された電気泳動表示シートは、種々の環境で使用されるが、ソース駆動回路部３、ゲート駆動回路部４及びＲＦ通信制御回路部５は第１の合成樹脂１０，１０…で覆われ、また、基板１、配線パターン２，２…及びアンテナ６も第２の合成樹脂１１で覆われているため、これらを外部からの機械的衝撃から保護することができる。
【００５８】
電気泳動表示シートが基板１の長辺方向において屈曲した場合には、基板１も長辺方向において屈曲する。このとき、ソース駆動回路部３、ゲート駆動回路部４及びＲＦ通信制御回路部５はそれぞれ、長辺が基板１の短辺方向と平行になるようにして基板１に配置されているため、基板１が長辺方向において屈曲した場合に伴って基板１に生じる応力により、ソース駆動回路部３、ゲート駆動回路部４及びＲＦ通信制御回路部５が破壊するのを防止することができる。
【００５９】
また、電気泳動表示シートが二次元的に、つまり表示装置用モジュールの基板１の短辺方向及び長辺方向において屈曲した場合も、連動的に基板１も屈曲する。このとき、第１の合成樹脂１０，１０…よりも、第２の合成樹脂１１の方が先に応力を受ける。しかし、第１の合成樹脂１０としてエポキシ系合成樹脂又はアクリル系合成樹脂を用い、第２の合成樹脂１１としてシリコーン系合成樹脂又はゴム系合成樹脂を用いていることにより、第２の合成樹脂１１の弾性率は第１の合成樹脂１０，１０…の弾性率よりも高い。したがって、基板１の屈曲に伴って生じる応力が、基板１を介してソース駆動回路部３、ゲート駆動回路部４及びＲＦ通信制御回路部５自体又はその周辺に伝達するのを防止することができる。
【００６０】
更に、基板１には切り欠き部９，９が設けられているため、電気泳動表示シートの屈曲、つまり基板１の屈曲に伴って生じる応力が、基板１を介してソース駆動回路部３、ゲート駆動回路部４及びＲＦ通信制御回路部５へ伝達するのを防止することができ、これらが破壊するのを防止することができる。
【００６１】
なお、基板１は、一方の長辺に切り欠き部９，９を有する代わりに、ソース駆動回路部３、ゲート駆動回路部４及びＲＦ通信制御回路部５が配置されている位置に対応する領域に、他の部分の材料よりも柔軟性が高い材料を用いてもよい。なお、基板１にポリイミドが用いられている場合は、ソース駆動回路部３、ゲート駆動回路部４及びＲＦ通信制御回路部５が配置されている位置に対応する領域の基板１の一方の長辺に、基板１の厚さよりも薄層化したポリイミドを用いてもよい。つまり、薄層化することにより、基板１よりも柔軟性が高まるのである。したがって、これらのような場合でも、基板１の一方の長辺に切り欠き部９，９が設けられている場合と同様の効果を得ることができる。
【００６２】
（実施の形態２）
図２は本発明の実施の形態２に係る表示装置用モジュールの構成図であり、（ａ）は平面図を示し、（ｂ）は（ａ）のＢ−Ｂ線における断面図を示す（ただし、断面を示す斜線は、わかりやすくするために省略する）。図２の表示装置用モジュールは、図１の表示装置用モジュールに更に配線パターン２２、ゲート駆動回路部２４及びゲート駆動出力端子部２８が増設されて基板１の一面上に形成された構成となっている。したがって、図１と同一部分には同一の符号を付してその説明を省略する。
【００６３】
ゲート駆動回路部２４は、図１と同様、電気泳動表示シート（図示せず）の表示信号を駆動するための平面視矩形のＩＣチップであり、長辺が基板１の短辺方向と平行になるようにして基板１に配置され、更に第１の合成樹脂１０で覆われている。ゲート駆動出力端子部２８は、電気泳動表示シートと基板１とを接続するための端子部であり、配線パターン２２を介してゲート駆動回路部２４と接続されている。配線パターン２２には、データ線、各種制御線、及び電源線が含まれる。なお、電気泳動表示シートへの接続は、前述の実施の形態１の場合と同様の方法で行うことができる。
【００６４】
電気泳動表示シートの表示信号を駆動するための駆動回路を、図２に示すように、ソース駆動回路部３及びゲート駆動回路部４，２４のように、複数個のＩＣチップに分割して基板１の一面上に形成することは、次のような利点がある。ソース駆動回路部３において、ボンディングパッドのピッチ（ＩＣチップの外部端子間の間隔）を例えば６０μｍとし、１００個の出力端子を長辺に配置した場合、ＩＣチップの大きさ（長辺の寸法）は６ｍｍ以上となる。したがって、基板１の短辺の寸法を考慮した場合に、駆動回路を複数個のＩＣチップに分割して用いれば、１つのＩＣチップの大きさ（長辺の寸法）は小さくなり、前述のような電気泳動表示シートの屈曲、つまり基板１の屈曲に伴う破壊を防ぐことができ、ＩＣチップ、つまりソース駆動回路部３及びゲート駆動回路部４，２４の耐久性が格段に高くなる。
【００６５】
また、駆動回路を複数のＩＣチップに分割して基板１に配置することは、電気泳動表示シートの画素数が増大した場合でも、柔軟に適用することが可能である。
また、電気泳動表示シートの画素数が増大した場合には、駆動回路を複数のＩＣチップに分割して基板１に配置することの他、ソース駆動回路部３及びゲート駆動回路部４，２４の配線パターン２，２…及び２２が煩雑になることが想定されるため、図２に示す表示装置用モジュールを別途作成し、この別途作成した表示装置用モジュールを、電気泳動表示シートに別途接続してもよい。この場合、２つの表示装置用モジュールは、対向しない配置で電気泳動表示シートに接続する、つまり電気泳動表示シートの隣り合う二辺に接続する。
【００６６】
（実施の形態３）
図３は本発明の実施の形態３に係る表示装置の概略構成図であり、（ａ）は平面図を示し、（ｂ）は（ａ）のＢ−Ｂ線における断面図を示す（ただし、断面を示す斜線は、わかりやすくするために省略する）。なお、図１又は図２と同一部分には同一の符号を付してその説明を省略する。
【００６７】
図３において、３１は表示装置であり、紙の様に柔軟なＰＥＴを用いてなる矩形の基板３２の一面上に、電気泳動表示シート３３と、半導体装置配置部３４とが形成されている。つまり、表示装置３１は、電気泳動表示シート３３の領域と、図１及び図２の表示装置用モジュールに相当する半導体装置配置部３４の領域の２つの領域とが存在している。
【００６８】
半導体装置配置部３４には、基板３２上に例えば銀ペーストを用いて適宜のピッチで配線パターン３５，３５…を形成し、その上から非導電性接着剤を塗布した後に、ソース駆動回路部３、ゲート駆動回路部４及びＲＦ通信制御回路部５をそれぞれフェースダウン実装により圧着されている。
【００６９】
ソース駆動回路部３、ゲート駆動回路部４及びＲＦ通信制御回路部５はそれぞれ、長辺が基板１の短辺方向と平行になるようにして基板３２の一面上に配置されており、更に合成樹脂３６，３６…で覆われている。この合成樹脂としては、例えばエポキシ系合成樹脂又はアクリル系合成樹脂が用いられる。したがって、ソース駆動回路部３、ゲート駆動回路部４及びＲＦ通信制御回路部５を外部からの機械的衝撃から保護することができ、更に、基板３２の長辺方向における屈曲に伴うソース駆動回路部３、ゲート駆動回路部４及びＲＦ通信制御回路部５の破壊を防止することができる。
【００７０】
ソース駆動回路部３、ゲート駆動回路部４、ＲＦ通信制御回路部５、アンテナ６、及び配線パターン３５，３５…を、基板３２の一面上に直接形成していることにより、図１の表示装置用モジュールにみられる電気泳動表示シート３３と表示装置用モジュールとの接合部を排除することができるため、表示装置３１の強度を高めることができる。
【００７１】
したがって、表示装置３１は柔軟で機械的強度が非常に高く、更に、携帯性に著しく優れているため、前述の電子財布システムに適用可能であるだけでなく、その他、携帯性が要求される種々の応用に適用可能である。
【００７２】
なお、前述の実施の形態１に記載した表示装置用モジュールは、駆動装置及び制御装置を基板の一面上に形成した形態としているが、これに限らず、基板の両面に形成した形態であってもよい。
【００７３】
また、前述の実施の形態１乃至２に記載した表示装置用モジュール、及び実施の形態３に記載した表示装置は、表示データの通信は非接触型のデータ通信の形態としているが、これに限らず、接触型のデータ通信の形態であってもよい。
また、前述の実施の形態１乃至２に記載した表示装置用モジュール、及び実施の形態３に記載した表示装置は、電力供給はアンテナを介した電磁誘導による形態としているが、これに限らず、表示装置に電源が内蔵された形態であってもよい。
【００７４】
【発明の効果】
以上により、本発明によれば、可撓性を有する基板に形成された駆動装置及び制御装置を第１の合成樹脂で覆い、基板を第１の合成樹脂とは異なる第２の合成樹脂で覆っていることにより、駆動装置、制御装置及び基板を外部からの機械的衝撃から保護することができるだけでなく、電気泳動表示シートに用いた場合には、電気泳動表示シートが有する二次元的な可撓性を損なうことのない表示装置用モジュールを実現することができる。
【００７５】
また、本発明によれば、基板は矩形であることから、短辺方向よりも長辺方向に屈曲しやすくなる。しかし、駆動装置及び制御装置は平面視矩形であり、駆動装置及び制御装置の長辺を基板の短辺方向と平行になるように配置する。これにより、表示装置用モジュールは、基板の長辺方向における屈曲度を高めることができ、基板が長辺方向において屈曲した場合に駆動装置及び制御装置が破壊するのを防止でき、機械的強度が高くなる。
【００７６】
また、本発明によれば、駆動装置及び制御装置が配置されているそれぞれの位置に対応させて基板の一方の長辺に切り欠き部を設けているため、基板が屈曲したときに生じる応力が、基板を介して駆動装置及び制御装置へ伝達するのを緩和する。これにより、表示装置用モジュールは、基板が屈曲した場合に駆動装置及び制御装置が破壊するのを防止することができる。
【００７７】
また、本発明によれば、駆動装置及び制御装置が配置されているそれぞれの位置に対応させて基板の一方の長辺に柔軟性が高い領域を設けるため、基板が屈曲したときに生じる応力が、基板を介して駆動装置及び制御装置へ伝達するのを緩和する。これにより、表示装置用モジュールは、基板が屈曲した場合に駆動装置及び制御装置が破壊するのを防止することができる。
【００７８】
また、本発明によれば、駆動装置及び制御装置が配置されているそれぞれの位置に対応させて基板の一方の長辺に、基板の材料よりも柔軟性が高い材料を用いるため、基板が屈曲したときに生じる応力が、基板を介して駆動装置及び制御装置へ伝達するのを緩和する。これにより、表示装置用モジュールは、基板が屈曲した場合に駆動装置及び制御装置が破壊するのを防止することができる。
【００７９】
また、本発明によれば、駆動装置及び制御装置が配置されているそれぞれの位置に対応させて基板の一方の長辺に、基板の厚さよりも薄層化された材料を用いるため、基板が屈曲したときに生じる応力が、基板を介して駆動装置及び制御装置へ伝達するのを緩和する。これにより、表示装置用モジュールは、基板が屈曲した場合に駆動装置及び制御装置が破壊するのを防止することができる。
【００８０】
また、本発明によれば、基板が屈曲した場合、第１の合成樹脂よりも第２の合成樹脂の方が先に応力を受けるが、第２の合成樹脂の弾性率は、第１の合成樹脂の弾性率よりも高いため、基板の屈曲に伴って生じる応力が、基板を介して駆動装置及び制御装置自体又はその周辺に加わるのを緩和する。これにより、表示装置用モジュールは、基板が屈曲した場合に駆動装置及び制御装置が破壊するのを防止することができる。
【００８１】
また、本発明によれば、第１の合成樹脂としてエポキシ系合成樹脂又はアクリル系合成樹脂を用い、第２の合成樹脂としてシリコーン系合成樹脂又はゴム系合成樹脂を用いることにより、第２の合成樹脂の弾性率は、第１の合成樹脂の弾性率よりも高くなる。これにより、表示装置用モジュールは、基板が屈曲した場合に駆動装置及び制御装置が破壊するのを防止することができる。
【００８２】
また、本発明によれば、基板自体が可撓性を有しているため、表示装置は柔軟性を有する。また、基板に形成した駆動装置及び制御装置を合成樹脂で覆う。これにより、表示装置は駆動装置及び制御装置を外部からの機械的衝撃から保護することができる。
【００８３】
また、本発明によれば、基板は矩形であることから、短辺方向よりも長辺方向に屈曲しやすくなる。しかし、駆動装置及び制御装置は平面視矩形であり、駆動装置及び制御装置の長辺を基板の短辺方向と平行になるように配置する。これにより、表示装置は、基板の長辺方向における屈曲度を高めることができ、基板が長辺方向において屈曲した場合に駆動装置及び制御装置が破壊するのを防止でき、機械的強度が高くなる。
【００８４】
更に、本発明によれば、基板に柔軟性の高いポリエチレンテレフタレートを用い、合成樹脂として弾性率の高いエポキシ系合成樹脂又はアクリル系合成樹脂を用いる。これにより、表示装置は非常に柔軟で機械的強度が高く、著しく携帯性に優れたものとなる。
【図面の簡単な説明】
【図１】本発明の実施の形態１に係る表示装置用モジュールの構成図である。
【図２】本発明の実施の形態２に係る表示装置用モジュールの構成図である。
【図３】本発明の実施の形態３に係る表示装置の概略構成図である。
【図４】特許文献１に開示されている液晶表示パネルモジュールの平面図である。
【図５】図４の液晶表示パネルモジュールを構成するＴＣＰの平面図である。
【図６】先願の表示システムの概略図である。
【符号の説明】
１，３２  基板
２，２２，３５  配線パターン
３  ソース駆動回路部
４，２４  ゲート駆動回路部
５  ＲＦ通信制御回路部
６  アンテナ
７  ソース駆動出力端子部
８，２８  ゲート駆動出力端子部
９  切り欠き部
１０  第１の合成樹脂
１１  第２の合成樹脂
３１  表示装置
３３  電気泳動表示シート
３４  半導体装置配置部
３６  合成樹脂
【図１】
2004163685.tif 000003
【図２】
2004163685.tif 000004
【図３】
2004163685.tif 000005
【図４】
2004163685.tif 000006
【図５】
2004163685.tif 000007
【図６】
2004163685.tif 000008